【手続補正書】
【提出日】平成21年9月9日(2009.9.9)
【手続補正１】
【補正対象書類名】特許請求の範囲
【補正対象項目名】全文
【補正方法】変更
【補正の内容】
【特許請求の範囲】
【請求項１】
コンピューティングデバイスがネットワークに接続可能であるコンピューティング環境において、
複数の異なるタイプのネットワーク接続を共通のユーザインターフェースに統一するステップであって、以下のステップ、即ち、
利用可能なネットワーク接続を集約するステップであって、前記異なるタイプのネットワーク接続が無線ネットワーク接続及び有線ブロードバンドネットワーク接続を含む、ステップ及び
前記利用可能なネットワーク接続の表現を前記ユーザインターフェース上に表示するステップであって、該ステップが、複数の異なるタイプのネットワーク接続が接続する、ネットワークデスティネーションの表現を表示するステップを含む、ステップ
を含む、統一するステップ
を含む、方法。
【請求項２】
請求項１に記載の方法において、前記利用可能なネットワーク接続を集約するステップは、少なくとも１つの媒体モジュールによって提供されるデータ、及び、ネットワークプロファイルストアに保持されているデータに基づいて利用可能なネットワークをフィルタリングするステップを含む、方法。
【請求項３】
請求項１に記載の方法において、前記利用可能なネットワーク接続の前記表現を表示するステップは、順序付けルールに基づく順序で前記表現を表示するステップを含み、前記順序付けルールに基づく順序で前記表現を表示するステップは、接続されていない利用可能なネットワークの前にあらゆる接続されているネットワークを表示するステップを含む、方法。
【請求項４】
請求項３に記載の方法であって、前記順序付けルールに従って媒体マネージャレベルで前記順序の少なくとも一部を決定するステップをさらに含む、方法。
【請求項５】
請求項１に記載の方法において、前記利用可能なネットワーク接続の前記表現を表示するステップは、各利用可能なネットワーク接続に関する、ネットワークデスティネーションに対応する情報を表示するステップを含む、方法。
【請求項６】
請求項５に記載の方法において、前記ネットワークデスティネーションに対応する前記情報を表示ステップは、ネットワーク名及び／又はユーザフレンドリーな名称を表示するステップを含む、方法。
【請求項７】
請求項１に記載の方法において、前記利用可能なネットワーク接続の前記表現を表示するステップは、少なくとも１つのネットワーク接続のセキュリティ関連情報を表示するステップを含む、方法。
【請求項８】
請求項１に記載の方法において、前記利用可能なネットワーク接続の前記表現を表示するステップは、少なくとも１つの無線ネットワーク接続の信号強度情報を表示するステップを含む、方法。
【請求項９】
請求項１に記載の方法において、前記利用可能なネットワーク接続の前記表現を表示するステップは、少なくとも１つのネットワーク接続の接続性ステータスを表示するステップを含む、方法。
【請求項１０】
請求項１に記載の方法であって、或る接続されているネットワーク接続を、ユーザインターフェースによってなされる、別のネットワーク接続を接続する要求を検出するときに接続解除するステップ、及び、前記他のネットワーク接続の接続を試みるステップをさらに含む、方法。
【請求項１１】
請求項１に記載の方法であって、前記利用可能なネットワーク接続のサブセットの表現を表示するように前記ユーザインターフェースを変更するステップをさらに含む、方法。
【請求項１２】
請求項１に記載の方法であって、ポインタがネットワーク接続上にホバリングすると、該ネットワーク接続についての情報を表示するステップをさらに含む、方法。
【請求項１３】
コンピュータ実行可能命令を有するコンピュータ記憶媒体であって、命令が実行されると、以下のステップ、即ち、
異なるタイプの媒体に対応し且つ接続に利用可能であるネットワークを識別する情報を受け取るステップであって、前記異なるタイプの媒体が無線ネットワークインターフェースカード及びイーサネット（Ethernet（登録商標））ネットワークインターフェースカードを含む、ステップ及び
前記利用可能なネットワークが、利用可能なネットワーク接続として表される共通のユーザインターフェースページを提供するステップであって、前記共通のユーザインターフェースページが、複数の異なるタイプの媒体を使用する複数のネットワーク接続が接続する、ネットワークデスティネーションの表現を含む、ステップ
ユーザが選択したネットワークに接続する入力又はユーザが選択したネットワークから接続解除する入力を、前記ページを介して受け取るステップ、
を実行する、コンピュータ可読媒体。
【請求項１４】
請求項１３に記載のコンピュータ記憶媒体において、少なくとも１つのネットワークが、ネットワークプロファイルに対応する、コンピュータ可読媒体。
【請求項１５】
請求項１３に記載のコンピュータ記憶媒体において、前記共通のユーザインターフェースページを提供するステップは、診断情報を取得するためのリンクを表示するステップを含む、コンピュータ可読媒体。
【請求項１６】
請求項１３に記載のコンピュータ記憶媒体において、前記共通のユーザインターフェースページを提供するステップは、各利用可能なネットワーク接続に関して、区別可能な名称と、接続性ステータス、セキュリティ関連情報、及び信号強度情報のうちの少なくとも１つとを表示するステップを含む、コンピュータ可読媒体。
【請求項１７】
コンピューティングデバイスにおいて、
各々が異なるタイプのネットワークに対応し、無線媒体モジュール、リモートアクセスサービス（RAS）媒体モジュール、及び有線媒体モジュールを含む複数の媒体モジュールであって、前記RAS媒体モジュールは、ダイヤルアップネットワーク接続、仮想プライベートネットワーク（VPN）接続、又は接続マネージャ（CM）ネットワーク接続の少なくとも１つに対応する、複数の媒体モジュールと、
前記媒体モジュールに結合されて、各媒体モジュールからネットワーク関連情報を取得するためのアグリゲータと、
前記アグリゲータコンポーネントに結合されて、異なるネットワークタイプの利用可能なネットワーク接続の表現を共通の対話ページにおいて表示するユーザインターフェースコンポーネントであって、複数の異なるタイプのネットワーク接続が接続する、ネットワークデスティネーションの表現を表示する、ユーザインターフェースコンポーネントと
を備える、システム。
【請求項１８】
請求項１７に記載のシステムにおいて、前記アグリゲータは、ネットワークプロファイルデータストアにアクセスするフィルタリング手段を介して前記媒体モジュールに結合される、システム。
【請求項１９】
請求項１７に記載のシステムにおいて、前記アグリゲータ及び前記ユーザインターフェースコンポーネントは、ＣＯＭオブジェクトに組み込まれる、システム。
【請求項２０】
請求項１に記載の方法であって、
前記ネットワークデスティネーションの表現を選択するユーザ入力を受け取るステップと、
前記ネットワークデスティネーションによって表現される複数のネットワーク接続の中から、前記ネットワークデスティネーションに接続するのに使用されるべきものを選択するステップであって、前記選択が、前記複数のネットワーク接続の各々の可用性、又は前記複数のネットワーク接続の各々の指定された優先度の少なくとも１つに基づく、ステップと、
ユーザが前記複数のネットワーク接続の１つを選択することを必要とせず、前記選択されたネットワーク接続を使用して前記ネットワークデスティネーションに自動的に接続するステップと、
をさらに含む、方法。